(57)【要約】【課題】部屋番号が変わったり、別の部屋の廊下灯として取付場所を変更したりしても部屋番号表示部に汚れ等を残すことなく容易に対応することができ、また外観にも優れた廊下灯を提供する。【解決手段】部屋番号表示部５が、部屋番号が記入されるプレートと、前ケース２の前面に設けられ、プレートを収納するプレート収納部１１ｂと、プレートの前方を覆うように前ケース２の前面に取り付けられる透明な合成樹脂製のカバー１２とを有している。また、前ケース２の前面に、カバー１２の前面と前ケース２の前面とが面一になるような状態でカバー１２を収納可能なカバー収納部１１ａが設けられている。さらに、カバー１２に、前ケース２の前面へ取り付けるための固定片２２が設けられているとともに、前ケース２の前面で、且つ、化粧パネル１０により覆われる位置に、固定片２２を固定するための被固定部１３が設けられている。【選択図】図３
2020003529.tif 000002
【特許請求の範囲】
【請求項１】
本体ケースの前面に化粧パネルが組み付けられているとともに、前記本体ケースの前面で、且つ、前記化粧パネルにより覆われていない箇所に部屋番号を表示する部屋番号表示部が設けられた廊下灯であって、
前記部屋番号表示部が、部屋番号が記入されるプレートと、前記本体ケースの前面に設けられ、前記プレートを収納するプレート収納部と、前記プレートの前方を覆うように前記本体ケースの前面に取り付けられる透明な合成樹脂製のカバーとを有しており、
前記本体ケースの前面に、前記カバーの前面と前記本体ケースの前面とが面一になるような状態で前記カバーを収納可能なカバー収納部が設けられ、前記カバー収納部内に前記プレート収納部が設けられている一方、
前記カバーに、前記本体ケースの前面へ取り付けるための固定部が設けられているとともに、前記本体ケースの前面で、且つ、前記化粧パネルにより覆われる位置に、前記固定部を固定するための被固定部が設けられていることを特徴とする廊下灯。
【発明の詳細な説明】
【技術分野】
【０００１】
本発明は、ナースコールシステムで使用される廊下灯に関するものである。
【背景技術】
【０００２】
従来、一般的な廊下灯には、部屋番号を表示するための部屋番号表示部が設けられている（たとえば特許文献１）。そして、その部屋番号表示部に部屋番号を表示するにあたっては、部屋番号が表示されたシールを貼着したり、部屋番号表示部に部屋番号を刻設したりしていた。
【先行技術文献】
【特許文献】
【０００３】
【特許文献１】特開２００６−２６３０９９号公報
【発明の概要】
【発明が解決しようとする課題】
【０００４】
しかしながら、部屋番号が変わったり、別の部屋の廊下灯として取付場所を変更したりする場合、シールを貼着していたのでは部屋番号表示部に汚れが残ってしまうし、部屋番号を刻設していたのではそもそも対応できないという問題がある。また、近年、外観のデザイン性の向上も求められている。
【０００５】
そこで、本発明は、上記問題に鑑みなされたものであって、部屋番号が変わったり、別の部屋の廊下灯として取付場所を変更したりしても部屋番号表示部に汚れ等を残すことなく容易に対応することができ、また外観にも優れた廊下灯を提供しようとするものである。
【課題を解決するための手段】
【０００６】
上記目的を達成するために、本発明は、本体ケースの前面に化粧パネルが組み付けられているとともに、本体ケースの前面で、且つ、化粧パネルにより覆われていない箇所に部屋番号を表示する部屋番号表示部が設けられた廊下灯であって、部屋番号表示部が、部屋番号が記入されるプレートと、本体ケースの前面に設けられ、プレートを収納するプレート収納部と、プレートの前方を覆うように本体ケースの前面に取り付けられる透明な合成樹脂製のカバーとを有しており、本体ケースの前面に、カバーの前面と本体ケースの前面とが面一になるような状態でカバーを収納可能なカバー収納部が設けられ、カバー収納部内にプレート収納部が設けられている一方、カバーに、本体ケースの前面へ取り付けるための固定部が設けられているとともに、本体ケースの前面で、且つ、化粧パネルにより覆われる位置に、固定部を固定するための被固定部が設けられていることを特徴とする。
【発明の効果】
【０００７】
本発明によれば、部屋番号表示部が、部屋番号が記入されるプレートと、本体ケースの前面に設けられ、プレートを収納するプレート収納部と、プレートの前方を覆うように本体ケースの前面に取り付けられる透明な合成樹脂製のカバーとを有しているため、部屋番号が変わったり、別の部屋の廊下灯として取付場所を変更したりする際には、プレートを交換するだけで、カバーを汚す等することなく容易に対応することができる。また、カバーを取り付けた際に、カバーの前面と本体ケースの前面とが面一になる上、カバーを取り付けるための固定部及び被固定部は化粧パネルにより覆われるため、外観の良い廊下灯とすることができる。
【図面の簡単な説明】
【０００８】
【図１】化粧パネルが取り付けられた状態にある廊下灯の前ケースを前面側から示した斜視説明図である。
【図２】化粧パネルが取り外された状態にある前ケースを前面側から示した斜視説明図である。
【図３】カバーが取り外された状態にある前ケースを前面側から示した斜視説明図である。
【図４】カバーを示した斜視説明図であり、（ａ）は前面側から、（ｂ）は後面側から夫々示している。
【発明を実施するための形態】
【０００９】
以下、本発明の一実施形態となる廊下灯について、図面にもとづき詳細に説明する。
【００１０】
図１は、化粧パネル１０が取り付けられた状態にある廊下灯の前ケース２を前面側から示した斜視説明図である。図２は、化粧パネル１０が取り外された状態にある前ケース２を前面側から示した斜視説明図である。図３は、カバー１２が取り外された状態にある前ケース２を前面側から示した斜視説明図である。図４は、カバー１２を示した斜視説明図であり、（ａ）は前面側から、（ｂ）は後面側から夫々示している。
【００１１】
廊下灯は、前側に配置される前ケース２及び後側に配置される後ケース（図示せず）を組み付けてなる本体ケースを備えてなり、該本体ケースには、ナースコール子機やナースコール親機等の他の通信機器と通信するための回路基板等が内蔵されている。また、前ケース２の前面には、病室内の患者氏名等を表示する表示部３、３・・、患者からの呼び出し時に点灯する点灯部４、４・・、及び部屋番号を表示するための部屋番号表示部５等が設けられているとともに、化粧パネル１０が組み付けられている。
【００１２】
そして、部屋番号表示部５は、前ケース２の前面に設けられた収納凹部１１と、収納凹部１１に収納される左右方向へ長い板状のプレート（図示せず）と、収納凹部１１内に嵌め込むようにして取付可能なカバー１２とを備えてなる。カバー１２は、透明な合成樹脂により成形されたものであって、プレートの前方を覆うための本体２１と、カバー１２を前ケース２の前面に取り付けるための固定片２２とを有する。本体２１は、前面視が左右方向へ長い長方形となる板状に成形されており、当該本体２１の下辺には、後述する係止孔１６、１６・・へ係止するための係止突起２５、２５・・が突設されている。また、本体２１の上辺に沿って、固定片２２が設けられている。固定片２２は、本体２１の上辺から上方へ突設されており、当該固定片２２には、後述する係合凸部１４、１４・・が係合する切り欠き２３、２３・・、及び後述する掛止孔１５に掛止する掛止爪２４が設けられている。また、固定片２２の前面と本体２１の前面との間には、化粧パネル１０の前後方向での厚みと同じ段差がつけられており、固定片２２の前面は本体２１の前面よりも後側に位置している。
【００１３】
一方、収納凹部１１は、上記カバー１２の本体２１が収納されるカバー収納部１１ａと、プレートが収納されるプレート収納部１１ｂとを有する。カバー収納部１１ａは、本体２１の前後方向での厚みと同じだけ、前ケース２の前面、特に化粧パネル１０に覆われずに露出する前面から後側へ凹んでいる。そして、カバー収納部１１ａ内の下面には、係止突起２５、２５・・が係止可能な係止孔１６、１６・・が穿設されている。また、カバー収納部１１ａの背面にプレート収納部１１ｂが設けられている。プレート収納部１１ｂは、プレートの前後方向での厚みと同じだけ、カバー収納部１１ａの背面から後側へ凹んでいる。
【００１４】
なお、前ケース２の前面における収納凹部１１の上方で、前ケース２に組み付けられた化粧パネル１０によって覆われる箇所には、固定片２２が固定される被固定部１３が設けられている。被固定部１３は、固定片２２の前後方向での厚みと同じだけ、前ケース２の前面、特に化粧パネル１０により覆われる前面から後側へ凹むように設けられている。また、被固定部１３には、切り欠き２３、２３・・に係合する係合凸部１４、１４・・、及び掛止爪２４が掛止する掛止孔１５が設けられている。
【００１５】
そして、上述したような部屋番号表示部５を形成するにあたっては、まず部屋番号を記入したプレートをプレート収納部１１ｂに収納した状態とする。プレートを収納することで、プレートの表面とカバー収納部１１ａの背面とが面一となるため、次に係止突起２５、２５・・を係止孔１６、１６・・へ係止させつつカバー収納部１１ａにカバー１２の本体２１を収納するとともに、係合凸部１４、１４・・を切り欠き２３、２３・・に係合させたり、掛止爪２４を掛止孔１５へ掛止させる等しながら固定片２２を被固定部１３に固定して、カバー１２を前ケース２に取り付ける。このようにカバー１２を取り付けることで、本体２１の後面がプレートを前から押さえつける格好となり、プレートはプレート収納部１１ｂ内で保持される。また、カバー１２を前ケース２に取り付けることで、本体２１の前面及び固定片２２の前面は、夫々周囲の前ケース２の前面と面一となる。そこで、最後に化粧パネル１０を前ケース２の前面に組み付ければ、本体２１は露出し、且つ、固定片２２は前ケース２と化粧パネル１０とに前後から挟持されて、部屋番号表示部５が形成される。そして、このような部屋番号表示部５を備えた廊下灯では、部屋番号が変わったり、別の部屋の廊下灯として取付場所を変更したりする際、化粧パネル１０やカバー１２を一旦取り外してプレートを交換すればよい。
【００１６】
以上のような構成を有する廊下灯によれば、部屋番号表示部５が、部屋番号が記入されるプレートと、前ケース２の前面に設けられ、プレートを収納するプレート収納部１１ｂと、プレートの前方を覆うように前ケース２の前面に取り付けられる透明な合成樹脂製のカバー１２とを有している。したがって、部屋番号が変わったり、別の部屋の廊下灯として取付場所を変更したりする際、化粧パネル１０やカバー１２を一旦取り外してプレートを交換するだけで、カバー１２を汚す等することなく容易に対応することができる。
【００１７】
また、前ケース２の前面に、カバー１２の前面と前ケース２の前面とが面一になるような状態でカバー１２を収納可能なカバー収納部１１ａが設けられ、カバー収納部１１ａ内にプレート収納部１１ｂが設けられている。さらに、カバー１２に、前ケース２の前面へ取り付けるための固定片２２が設けられているとともに、前ケース２の前面で、且つ、化粧パネル１０により覆われる位置に、固定片２２を固定するための被固定部１３が設けられている。したがって、カバー１２が前ケース２の前面から前方へ突出することがなく、また固定片２２等は化粧パネル１０により覆われてしまうため、外観の良い廊下灯とすることができる。
【００１８】
なお、本発明に係る廊下灯は、廊下灯の全体的な構成は勿論、部屋番号表示部に係る構成等についても、本発明の趣旨を逸脱しない範囲で必要に応じて適宜変更することができる。
【００１９】
たとえば上記実施形態ではプレートやカバーの本体を左右方向へ長い板状に成形しているが、プレートやカバーの本体の形状はデザインに応じて適宜変更可能であり、前面視が左右方向へ長い楕円形状であったり、上下方向へ長い板状であったりしても何ら問題はない。また、１つの廊下灯に複数の部屋番号表示部を設けることも可能である。
【符号の説明】
【００２０】
１・・廊下灯、２・・前ケース（本体ケース）、５・・部屋番号表示部、１０・・化粧パネル、１１・・収納凹部、１１ａ・・カバー収納部、１１ｂ・・プレート収納部、１２・・カバー、１３・・被固定部、１４・・係合凸部、１５・・掛止孔、１６・・係止孔、２１・・本体、２２・・固定片（固定部）、２３・・切り欠き、２４・・掛止爪、２５・・係止突起。
【図１】
2020003529.tif 000003
【図２】
2020003529.tif 000004
【図３】
2020003529.tif 000005
【図４】
2020003529.tif 000006